【事件の表示】
　平成６年特許願第１４６４２９号「サーボモータ用エンコーダ」拒絶査定に対する審判事件［平成８年１月１９日出願公開、特開平８−１８４５５］について、次のとおり審決する。
【結　論】
　本件審判の請求は、成り立たない。
【理　由】
１．手続の経緯・本願発明
　本願は、平成６年６月２８日の出願であって、特許請求の範囲の請求項１に係る発明（以下、「本願発明」という。）は、平成１３年１０月４日付け手続補正書により補正された明細書及び図面の記載からみて、その特許請求の範囲の請求項１に記載された以下のとおりのものと認める。
「３相のインクリメンタル信号(A,B,Z)を発生するインクリメンタル信号発生部(1)と、３相のサーボモータ用磁極位置検出信号(UE,VE,WE)を発生するサーボモータ用磁極位置検出信号発生部(10)とを有するサーボモータ用エンコーダにおいて、前記各信号(A,B,Z,UE,VE,WE)が入力され３個の切換部(30A〜30C)を有するマルチプレクサ(30)と、前記マルチプレクサ(30)に接続され前記各切換部(30A〜30C)に対応したドライバ部（2A,2B,2C)及び１個の回路を有する１個のラインドライバ(2)と、前記各ドライバ部(2A,2B,2C)に接続された１対の出力端子(2Aa,2Ba,2Ca)と、前記マルチプレクサ(30)に接続され電源投入時に一定時間経過するとタイマ出力(50a)が反転する構成のタイマ部(50)と、前記ラインドライバ(2)の前記１個の回路から出力されるＨ又はＬレベルのコントロール信号(C)とを備え、前記タイマ出力(50a)がＬ又はＨレベルの時は前記各切換部(30A〜30C)から前記サーボモータ用磁極位置検出信号(UE,VE,WE)を出力し、前記タイマ出力(50a)がＨ又はＬレベルの時は前記各切換部(30A〜30C)から前記インクリメンタル信号(A,B,Z)を出力するように構成されていると共に、前記各信号(A,B,Z,UE,VE,WE)を出力する前は、前記ラインドライバ(2)の出力がハイインピーダンスの状態となり、前記ハイインピーダンスの状態解除後に前記コントロール信号(C)にて前記各信号(A,B,Z,UE,VE,WE)の識別を行う構成としたことを特徴とするサーボモータ用エンコーダ。」
　
２．引用例
（１）これに対して、原審の拒絶理由に引用された特開平５−１５７５８１号公報（以下、「引用例」という。）には、図面とともに、次の事項が記載されている。
　イ．「【請求項１】　ＡＣモータに取付けられ、磁極位置を検出して磁極位置検出信号を出力し、パルス列あるいは正弦波の周期列を出力するインクリメンタル信号及び１回転に１つだけ出力される絶対位置信号としての原点信号を出力する磁極位置検出信号付きインクリメンタルエンコーダの伝送方式において、
　電源投入から一定の設定時間内に磁極位置検出信号を伝送ラインに出力し、
　前記設定時間後はインクリメンタル信号及び原点信号を前記伝送ラインに送出することにより伝送電線本数を大幅に削減することを特徴とする磁極位置検出信号付きインクリメンタルエンコーダの伝送方式。」（２頁１欄【特許請求の範囲】）
　
　ロ．「【００１１】　第２実施例は図３に示されており、図において３はラインドライバユニットであり、ラインドライバ３ａ、３ｂ及び３ｚが内蔵されている集積回路である。７は信号切替ゲートであり、各入力信号ａとｕ、ｂとｖ、及びｚとｗを切り替える。動作について説明すると、電源投入から一定の設定時間は電源ＯＮタイマ１０からＬが出力されて、信号切替ゲート７は入力信号ｕの入力側Ｉ1B、入力信号ｖの入力側Ｉ2B及び入力信号ｗの入力側Ｉ3Bを選択し、出力側Ｏ1 にｕ、Ｏ2 にｖ及びＯ3 にｗが送られる。図から明らかなように、各ラインドライバ３ａ、３ｂ及び３ｚからはＵ、バーＵ、Ｖ、バーＶ、Ｗ及びバーＷの磁極位置検出信号が出力される。
　【００１２】　更に、電源投入から一定の設定時間の経過後は電源ＯＮタイマ１０からＨが出力されて、信号切替ゲート７は入力信号ａ、ｂ及びｚの入力側Ｉ1A、Ｉ2A、Ｉ3Aを選択し、出力側Ｏ1 にａ、Ｏ2 にｂ及びＯ3 にｚが送られる。図から明らかなように、各ラインドライバ３ａ、３ｂ及び３ｚからはＡ、バーＡ、Ｂ、バーＢ、Ｚ及びバーＺのインクリメンタル信号と原点信号が出力される。第１実施例と比べるとラインドライバユニットの代わりに信号切替ゲートを使用しており、回路構成が簡便になっている。
　【００１３】　第３実施例は図４に示されており、図においてラインドライバユニット４にラインドライバ４ｃｈが内蔵されている点が第２実施例と異なっている。このラインドライバ４ｃｈによって伝送電線が２本増加されるが、切り替わり信号が出力されるので、出力信号の受信側（図示せず）では信号が切り替っていることが判別できる。」（３頁４欄３〜３１行目、なお、原文のアンダーライン付き文字は表記の都合により「バー」を冠して代替した。）
　
　上記引用例の記載及び添付図面ならびにこの分野における技術常識を考慮すると、上記「磁極位置検出信号付きインクリメンタルエンコーダ」は「インクリメンタル信号及び原点信号（ａ，ｂ，ｚ）」並びに「３相（Ｕ，Ｖ，Ｗ）の磁極位置検出信号（ｕ，ｖ，ｗ）」を入力して、「インクリメンタル信号及び原点信号」または「磁極位置検出信号」のいずれかを択一的に出力する「ＡＣモータ用エンコーダ」である。
　したがって、上記引用例には以下の発明（以下、「引用発明」という。）が記載されている。
「インクリメンタル信号及び原点信号（ａ，ｂ，ｚ）並びに３相の磁極位置検出信号（ｕ，ｖ，ｗ）を入力して、インクリメンタル信号及び原点信号または磁極位置検出信号のいずれかを択一的に出力するＡＣモータ用エンコーダにおいて、前記各信号（ａ，ｂ，ｚ，ｕ，ｖ，ｗ）が入力され３個の出力部（Ｏ1，Ｏ2，Ｏ3）を有する信号切替ゲートと、前記信号切替ゲートに接続され前記各出力部に対応したラインドライバ（４ａ，４ｂ、４ｚ）及び１個の回路（４ｃｈ）を有する１個のラインドライバユニットと、前記各ラインドライバ部に接続された１対の出力端子と、前記信号切替ゲートに接続され電源投入時に一定時間経過するとタイマ出力が反転する構成の電源ＯＮタイマと、前記ラインドライバの前記１個の回路から出力されるＨ又はＬレベルの切り替わり信号とを備え、前記電源ＯＮタイマの出力がＬの時は前記各出力部から前記磁極位置検出信号を出力し、前記電源ＯＮタイマの出力がＨの時は前記各出力部から前記インクリメンタル信号及び原点信号を出力するように構成されていると共に、前記切り替わり信号にて前記各信号の識別を行う構成としたことを特徴とするＡＣモータ用エンコーダ。」
　
（２）また、例えば特開平３−２３２１１９号公報（以下、「周知例１」という。）の「この時、デジタル用電源回路４が立ち上がっていなければ、制御端子１１は一定電圧未満となり、バッファ９の出力端子１２はハイインピーダンス状態となる。」（２頁右上欄１９行目〜左下欄２行目）という記載や、例えば特開平５−１８４０６６号公報（以下、「周知例２」という。）の「入力ＩＣ６は電源Ｂにより電力を供給されていない場合の状態について考えて見ると、パワーオンリセットＩＣ１の電源Ｂからのパワーグッド信号８は、オフされているため、出力バッファは、ハイインピーダンス状態になる。」（２頁２欄３９〜４３行目）という記載によると、「電源立ち上げ時の出力バッファの状態をハイインピーダンスとしておく」ことは、電源立ち上げ時の制御回路の誤動作防止のための単なる慣用手段である。
　
３．対比
　そこで、本願発明と引用発明とを対比するに、上記引用発明の「ＡＣモータ」と本願発明の「サーボモータ」は、いずれのモータも３相交流モータであって、エンコーダを用いてその駆動制御を行うモータであるから、両者の間に相違はなく、また、上記引用発明の「インクリメンタル信号及び原点信号（ａ，ｂ，ｚ）並びに３相の磁極位置検出信号（ｕ，ｖ，ｗ）」と本願発明の「３相のインクリメンタル信号(A,B,Z)と３相の磁極位置検出信号(UE,VE,WE)」も同じ信号である。また、引用発明の「ＡＣモータ用エンコーダ」は上記各信号を出力するのであるから、該「ＡＣモータ用エンコーダ」が上記各信号を発生する信号発生部を備えていることは自明のことである。したがって、引用発明の「インクリメンタル信号及び原点信号（ａ，ｂ，ｚ）並びに３相の磁極位置検出信号（ｕ，ｖ，ｗ）を入力して、インクリメンタル信号及び原点信号か磁極位置検出信号のいずれかを択一的に出力するＡＣモータ用エンコーダ」と本願発明の「３相のインクリメンタル信号(A,B,Z)を発生するインクリメンタル信号発生部(1)と、３相のサーボモータ用磁極位置検出信号(UE,VE,WE)を発生するサーボモータ用磁極位置検出信号発生部(10)とを有するサーボモータ用エンコーダ」の間に実質的な差異はない。
　また、引用発明の「３個の出力部（Ｏ1，Ｏ2，Ｏ3）を有する信号切替ゲート」と本願発明の「３個の切換部(30A〜30C)を有するマルチプレクサ」、
　引用発明の「前記信号切替ゲートに接続され前記各出力部に対応したラインドライバ（４ａ，４ｂ、４ｚ）及び１個の回路（４ｃｈ）を有する１個のラインドライバユニット」と本願発明の「前記マルチプレクサ(30)に接続され前記各切換部(30A〜30C)に対応したドライバ部（2A,2B,2C)及び１個の回路を有する１個のラインドライバ(2)」、
　引用発明の「前記各ラインドライバ部に接続された１対の出力端子」と本願発明の「前記各ドライバ部(2A,2B,2C)に接続された１対の出力端子(2Aa,2Ba,2Ca)」、
　引用発明の「前記信号切替ゲートに接続され電源投入時に一定時間経過するとタイマ出力が反転する構成の電源ＯＮタイマ」と本願発明の「前記マルチプレクサ(30)に接続され電源投入時に一定時間経過するとタイマ出力(50a)が反転する構成のタイマ部(50)」、
　引用発明の「前記ラインドライバの前記１個の回路から出力されるＨ又はＬレベルの切り替わり信号」と本願発明の「前記ラインドライバ(2)の前記１個の回路から出力されるＨ又はＬレベルのコントロール信号(C)」、
もそれぞれ実質的に同一の構成であるから、引用発明の「前記電源ＯＮタイマの出力がＬの時は前記各出力部から前記磁極位置検出信号を出力し、前記電源ＯＮタイマの出力がＨの時は前記各出力部から前記インクリメンタル信号及び原点信号を出力するように構成されていると共に、前記切り替わり信号にて前記各信号の識別を行う構成」と本願発明の「前記タイマ出力(50a)がＬ又はＨレベルの時は前記各切換部(30A〜30C)から前記サーボモータ用磁極位置検出信号(UE,VE,WE)を出力し、前記タイマ出力(50a)がＨ又はＬレベルの時は前記各切換部(30A〜30C)から前記インクリメンタル信号(A,B,Z)を出力するように構成されていると共に、前記コントロール信号(C)にて前記各信号(A,B,Z,UE,VE,WE)の識別を行う構成」との間にも実質的な差異はない。
　したがって、本願発明と引用発明は、
「３相のインクリメンタル信号(A,B,Z)を発生するインクリメンタル信号発生部(1)と、３相のサーボモータ用磁極位置検出信号(UE,VE,WE)を発生するサーボモータ用磁極位置検出信号発生部(10)とを有するサーボモータ用エンコーダにおいて、前記各信号(A,B,Z,UE,VE,WE)が入力され３個の切換部(30A〜30C)を有するマルチプレクサ(30)と、前記マルチプレクサ(30)に接続され前記各切換部(30A〜30C)に対応したドライバ部（2A,2B,2C)及び１個の回路を有する１個のラインドライバ(2)と、前記各ドライバ部(2A,2B,2C)に接続された１対の出力端子(2Aa,2Ba,2Ca)と、前記マルチプレクサ(30)に接続され電源投入時に一定時間経過するとタイマ出力(50a)が反転する構成のタイマ部(50)と、前記ラインドライバ(2)の前記１個の回路から出力されるＨ又はＬレベルのコントロール信号(C)とを備え、前記タイマ出力(50a)がＬ又はＨレベルの時は前記各切換部(30A〜30C)から前記サーボモータ用磁極位置検出信号(UE,VE,WE)を出力し、前記タイマ出力(50a)がＨ又はＬレベルの時は前記各切換部(30A〜30C)から前記インクリメンタル信号(A,B,Z)を出力するように構成されていると共に、前記コントロール信号(C)にて前記各信号(A,B,Z,UE,VE,WE)の識別を行う構成としたことを特徴とするサーボモータ用エンコーダ。」
の点で一致し、以下の点で相違する。
　
＜相違点＞
　本願発明は「前記各信号(A,B,Z,UE,VE,WE)を出力する前は、前記ラインドライバ(2)の出力がハイインピーダンスの状態となり、前記ハイインピーダンスの状態解除後に、前記コントロール信号(C)にて前記各信号(A,B,Z,UE,VE,WE)の識別を行う構成」ものであるのに対し、引用発明は当該構成を備えていない点。
　
４．当審の判断
　そこで、上記相違点について検討するに、例えば上記周知例１〜２に開示されているように、「電源立ち上げ時の出力バッファの状態をハイインピーダンスとしておく」ことは、電源立ち上げ時の制御回路の誤動作防止のための単なる慣用手段であるところ、本願発明の上記相違点に係る構成はラインドライバ（即ち、出力バッファ）の電源投入直後の例えば電源電圧が安定していない期間の出力状態をハイインピーダンスに制御し、その後ハイインピーダンス状態を解除すると共に、本来の動作（即ち、各信号(A,B,Z,UE,VE,WE)及びコントロール信号(C)を適宜出力し、コントロール信号(C)により各信号の識別）を行う構成であるから、当該構成は上記慣用手段の範疇を越えるものではない。
　したがって、引用発明のラインドライバ（ユニット）に上記慣用手段を付加して本願発明のように構成する程度のことは、当業者であれば、容易に想到し得たものである。
　
５．むすび
　以上のとおり、本願発明は、上記引用例に記載された発明および上記周知例１、２に記載された慣用手段に基づいて、当業者が容易に発明をすることができたものと認められるから、特許法第２９条第２項の規定により特許を受けることができない。
　
　よって、結論のとおり審決する。